(57)【要約】【課題】動力伝達部材、例えばチェーンの収納スペースをコンパクトにする水門開閉装置を提供する。【解決手段】水門開閉装置１ａは、チェーン３の他端側が巻回されて、チェーン３の他端側を垂下させるように案内する垂下用案内スプロケット１８と、駆動スプロケット５からの駆動力を垂下用案内スプロケット１８に伝達して、該垂下用案内スプロケット１８を回転させる回転伝達手段（１５、１６、１９、２２）とを備えている。これにより、扉体２を上昇させる際には、垂下用案内スプロケット１８を回転させて、垂下用案内スプロケット１８に巻回しているチェーン３の他端側を下方に向かって付勢でき、チェーン３の他端側を、垂下用案内スプロケット１８を介してスムーズに降下させることができる。これにより、チェーン３の収納スペースをコンパクトにすることができる。【選択図】図１
2018013035.tif 000002
【特許請求の範囲】
【請求項１】
一端側が水門の扉体に連結される動力伝達部材と、該動力伝達部材が巻回される回転駆動体と、該回転駆動体を回転駆動させる駆動装置と、を備え、前記動力伝達部材の他端側を垂下させて収納する水門開閉装置であって、
前記動力伝達部材の他端側が巻回されて、前記動力伝達部材の他端側を垂下させるように案内する案内用回転体と、
前記回転駆動体からの回転駆動を前記案内用回転体に伝達して、該案内用回転体の回転により前記動力伝達部材の他端側を下方に向かって付勢する回転伝達手段と、
を備えることを特徴とする水門開閉装置。
【請求項２】
前記回転伝達手段は、
前記扉体と前記回転駆動体との間の前記動力伝達部材が巻回される従動回転体と、
該従動回転体に設けた第１伝達用回転体と、
前記案内用回転体に設けた第２伝達用回転体と、
前記第１伝達用回転体と前記第２伝達用回転体とに巻回される回転伝達部材と、
を備えることを特徴とする請求項１に記載の水門開閉装置。
【請求項３】
前記案内用回転体が、前記従動回転体よりも高い位置に配設されていることを特徴とする請求項２に記載の水門開閉装置。
【請求項４】
前記回転伝達手段は、
前記回転駆動体に設けた第１伝達用回転体と、
前記案内用回転体に設けた第２伝達用回転体と、
前記第１伝達用回転体と前記第２伝達用回転体とに巻回される回転伝達部材と、
を備えることを特徴とする請求項１に記載の水門開閉装置。
【請求項５】
一端側が水門の扉体に連結される動力伝達部材と、該動力伝達部材が巻回される回転駆動体と、該回転駆動体を回転駆動させる駆動装置と、を備え、前記動力伝達部材の他端側を垂下させて収納する水門開閉装置であって、
前記動力伝達部材の他端側が巻回されて、前記動力伝達部材の他端側を垂下させるように案内する案内用回転体と、
前記案内用回転体を回転駆動して、該案内用回転体の回転により前記動力伝達部材の他端側を下方に向かって付勢する案内用回転体駆動装置と、
を備えることを特徴とする水門開閉装置。
【請求項６】
さらに、前記動力伝達部材の前記他端側を折り返して収納する収納体を備えており、
該収納体は、
前記動力伝達部材の前記他端側を折り返す方向に延び、水平に対して傾斜するよう配設された支持部材を備えることを特徴とする請求項１〜５のいずれか１項に記載の水門開閉装置。
【請求項７】
さらに、前記収納体は、前記動力伝達部材の前記他端側を折り返す方向と直交する方向に突設されて前記支持部材の上面に当接して前記動力伝達部材の前記他端側が折り返されることとなる掛止ピンを備えることを特徴とする請求項６に記載の水門開閉装置。
【請求項８】
前記案内用回転体が、前記回転駆動体よりも高い位置に配設されていることを特徴とする請求項６または７のいずれかに記載の水門開閉装置。
【発明の詳細な説明】
【技術分野】
【０００１】
本発明は、水門を開閉すべく備えられた水門開閉装置に関するものである。
【背景技術】
【０００２】
一般に、河川に通じる水路には水門が設置され、水門開閉装置によって水門の扉体を昇降させることで水門を開閉するようになっている。
水門開閉装置の従来技術として、例えば、図７に示すように、水門の扉体２を昇降させる駆動装置４と、該駆動装置４からの駆動スプロケット５に巻回される、動力伝達部材としてのチェーン３と、を備え、扉体２の上部にチェーン３の一端を接続すると共に、チェーン３の中間部を駆動スプロケット５に巻回させた後、チェーン３の他端を操作台１１の上流側（図７左側）に接続し、扉体２を、チェーン３を介して上昇させる際、チェーン３の他端側を略Ｕ字状に収納する水門開閉装置５０が提案されている（特許文献１参照）。
【先行技術文献】
【特許文献】
【０００３】
【特許文献１】特開２００５−１７１５５８号公報
【発明の概要】
【発明が解決しようとする課題】
【０００４】
上述した、従来の水門開閉装置５０では、図７に示すように、チェーン３の他端を扉体２から上流側にある程度の距離引き回す際には、チェーン３の他端側を案内する、互いに水平方向に沿って間隔を置いて配置された、中間案内スプロケット５１及び垂下用案内スプロケット５２を備えている。また、チェーン３の他端側を略Ｕ字状に収納するような、従来の水門開閉装置５０においては、垂下用案内スプロケット５２の下方に、基本的に、扉体２を昇降するチェーン３の移動距離の半分の長さのチェーン３を収納する高さ方向の収納スペースが必要になる。
【０００５】
しかしながら、図７に示す従来の水門開閉装置５０では、扉体２の上昇時、チェーン３（動力伝達部材）の他端側を、垂下用案内スプロケット５２を介してスムーズに降下させるために、チェーン３の他端側に下向きの力を付与する必要があった。そのために、チェーン３の長さを通常よりも長く構成して、垂下用案内スプロケット５２から下方に位置するチェーン３の自重を増加させることで対処していた。この結果、余分な長さのチェーン３が必要となり、ひいては、そのチェーン３を収納するべく大きな収納スペース（特に、高さ方向）を確保する必要があり、改善する余地があった。
【０００６】
本発明は、かかる点に鑑みてなされたものであり、動力伝達部材の収納スペースをコンパクトにする水門開閉装置を提供することを目的とする。
【課題を解決するための手段】
【０００７】
本発明は、上記課題を解決するための手段として、請求項１に記載した発明は、一端側が水門の扉体に連結される動力伝達部材と、該動力伝達部材が巻回される回転駆動体と、該回転駆動体を回転駆動させる駆動装置と、を備え、前記動力伝達部材の他端側を垂下させて収納する水門開閉装置であって、前記動力伝達部材の他端側が巻回されて、前記動力伝達部材の他端側を垂下させるように案内する案内用回転体と、前記回転駆動体からの回転駆動を前記案内用回転体に伝達して、該案内用回転体の回転により前記動力伝達部材の他端側を下方に向かって付勢する回転伝達手段と、を備えることを特徴とするものである。
請求項１の発明では、駆動装置の回転駆動体の回転駆動により扉体を上昇させる際、回転駆動体の回転駆動を回転伝達手段により案内用回転体に伝達する。そして、案内用回転体の回転により、該案内用回転体に巻回される動力伝達部材の他端側を下方に向かって付勢（動力伝達部材の他端側に下向きの力を付与）することができ、動力伝達部材の他端側を、案内用回転体を経由してスムーズに降下させることが可能になる。
【０００８】
請求項２に記載した発明は、請求項１に記載した発明において、前記回転伝達手段は、前記扉体と前記回転駆動体との間の前記動力伝達部材が巻回される従動回転体と、該従動回転体に設けた第１伝達用回転体と、前記案内用回転体に設けた第２伝達用回転体と、前記第１伝達用回転体と前記第２伝達用回転体とに巻回される回転伝達部材と、を備えることを特徴とするものである。
請求項２の発明では、駆動装置の回転駆動体の回転駆動により扉体を上昇させる際、動力伝達部材の上昇に伴って従動回転体が回転する。そして、従動回転体の第１伝達用回転体と案内用回転体の第２伝達用回転体とに巻回された回転伝達部材により、従動回転体の回転を案内用回転体に伝達することができる。
【０００９】
請求項３に記載した発明は、請求項２に記載した発明において、前記案内用回転体が、前記従動回転体よりも高い位置に配設されていることを特徴とするものである。
請求項３の発明では、案内用回転体から下方の領域を、動力伝達部材の収納スペースとして有効利用することができる。
【００１０】
請求項４に記載した発明は、請求項１に記載の水門開閉装置において、前記回転伝達手段は、前記回転駆動体に設けた第１伝達用回転体と、前記案内用回転体に設けた第２伝達用回転体と、前記第１伝達用回転体と前記第２伝達用回転体とに巻回される回転伝達部材と、を備えることを特徴とする。
請求項４の発明では、駆動装置の回転駆動体の回転駆動により扉体を上昇させる際、回転駆動体の第１伝達用回転体と案内用回転体の第２伝達用回転体とに巻回された回転伝達部材により、回転駆動体の回転を案内用回転体に伝達することができる。
【００１１】
請求項５に記載した発明は、一端側が水門の扉体に連結される動力伝達部材と、該動力伝達部材が巻回される回転駆動体と、該回転駆動体を回転駆動させる駆動装置と、を備え、前記動力伝達部材の他端側を垂下させて収納する水門開閉装置であって、前記動力伝達部材の他端側が巻回されて、前記動力伝達部材の他端側を垂下させるように案内する案内用回転体と、前記案内用回転体を回転駆動して、該案内用回転体の回転により前記動力伝達部材の他端側を下方に向かって付勢する案内用回転体駆動装置と、を備えることを特徴とするものである。
請求項５の発明では、駆動装置の回転駆動体の回転駆動により扉体を上昇させる際、案内用回転体駆動装置により、案内用回転体を回転駆動する。案内用回転体の回転により、該案内用回転体に巻回される動力伝達部材の他端側を下方に向かって付勢（動力伝達部材の他端側に下向きの力を付与）することができ、動力伝達部材の他端側を、案内用回転体を経由してスムーズに降下させることが可能になる。
【００１２】
請求項６に記載した発明は、請求項１〜５のいずれか１項に記載の発明において、さらに、前記動力伝達部材の前記他端側を折り返して収納する収納体を備えており、該収納体は、前記動力伝達部材の前記他端側を折り返す方向に延び、水平に対して傾斜するよう配設された支持部材を備えることを特徴とする。
請求項６の発明では、案内用回転体の回転により、下方に向かって付勢されてスムーズに降下された動力伝達部材の他端側を、傾斜した支持部材に支持して順次折り返されて収納することができる。
【００１３】
請求項７に記載した発明は、請求項６に記載の発明において、さらに、前記動力伝達部材の前記他端側を折り返す方向と直交する方向に突設されて前記掛止部材の上面に当接して前記動力伝達部材の前記他端側が折り返されることとなる掛止ピンを備えることを特徴とするものである。
請求項７の発明では、案内用回転体の回転により、下方に向かって付勢されてスムーズに降下された動力伝達部材の他端側は、傾斜した掛止部材の上面に掛止ピンが順次当接する。そのため、動力伝達部材の他端側は、順次折り返されて略Ｕ字状に垂れ下がることとなる。そして、掛止ピンが掛止部材の傾斜に沿って移動するため、動力伝達部材の他端側をスムーズに順次折り返して収納することができる。
【００１４】
請求項８に記載した発明は、請求項６または７のいずれかに記載の発明において、前記案内用回転体が、前記回転駆動体よりも高い位置に配設されていることを特徴とするものである。
請求項８の発明では、さらに案内用回転体から下方の領域を、動力伝達部材の収納スペースとして有効利用することができる。
【発明の効果】
【００１５】
本発明によれば、駆動装置により扉体を上昇させる際、案内用回転体を回転させることにより案内用回転体に巻回される動力伝達部材の他端側を下方に向かって付勢することで、動力伝達部材の他端側を、案内用回転体を介してスムーズに降下させることができる。これにより、従来のように、動力伝達部材の自重を増加させるために余分な長さとする必要がなく、したがって、動力伝達部材を収納するべく大きな収納スペースを確保する必要がなく、動力伝達部材の収納スペースをコンパクトにすることができる。
【図面の簡単な説明】
【００１６】
【図１】図１は、本発明の第１の実施形態に係る水門開閉装置の概略図である。
【図２】図２は、図１の水門開閉装置の要部拡大図である。
【図３】図３は、本発明の第２の実施形態に係る水門開閉装置の概略図である。
【図４】図４は、本発明の第３の実施形態に係る水門開閉装置の概略図である。
【図５】図５は、本発明の第４の実施形態に係る水門開閉装置の概略図である。
【図６】図６は、本発明の第５の実施形態に係る水門開閉装置の概略図である。
【図７】図７は、従来の水門開閉装置の概略図である。
【発明を実施するための形態】
【００１７】
以下、本発明を実施するための形態を図１〜図５に基づいて詳細に説明する。
以下に、本発明の第１〜第５の実施形態に係る水門開閉装置１ａ〜１ｅを説明するが、まず、第１の実施形態に係る水門開閉装置１ａを図１及び図２に基づいて説明する。
第１の実施形態に係る水門開閉装置１ａは、水門の扉体２の上端でその幅方向両端に一対のチェーン３、３（動力伝達部材）の一端がそれぞれ連結される。本実施の形態においては、一対のチェーン３として、それぞれローラチェーンを採用した場合で説明する。なお、扉体２の上端の幅方向両端に一対の支持スプロケットをそれぞれ設けた実施形態の場合は、一対のチェーン３、３の一端側がそれぞれ支持スプロケットに巻回される。水門の幅方向両側に一対の門柱１０、１０がそれぞれ立設される。各門柱１０、１０の上方に操作台１１が備えられている。該操作台１１上に架台１２が配置され、該架台１２上に、回転駆動力を付与する駆動装置４が配置される。駆動装置４から扉体２の幅方向両側にその回転駆動力が伝達される駆動軸（図示略）がそれぞれ延びる。該各駆動軸に駆動スプロケット（回転駆動体）５、５がそれぞれ連結される。該各駆動スプロケット５、５に一対のチェーン３、３がそれぞれ巻回される。
【００１８】
なお、本水門開閉装置１ａは、扉体２の幅方向両側の、一対のチェーン３、３に対応する構成が同じであるために、扉体２の幅方向一端側の、一方のチェーン３に対応する構成のみを、以下に詳細に説明する。なお、以下の説明において、参照する図の左側を上流側として、図の右側を下流側として説明する。
【００１９】
図１及び図２に示すように、駆動装置４の駆動スプロケット５の直下に従動スプロケット（従動回転体）１５が配置される。なお、従動スプロケット１５の位置はこの実施形態に限定されることはない。該従動スプロケット１５は架台１２に回転自在に支持される。該従動スプロケット１５には、駆動スプロケット５と扉体２との間を略鉛直方向に延びるチェーン３が巻回される。なお、駆動スプロケット５と扉体２との間のチェーン３は、鉛直方向に対して傾斜して延びる場合がある。要するに、従動スプロケット１５には、駆動スプロケット５と扉体２との間に延びるチェーン３が巻回される。従動スプロケット１５には、該従動スプロケット１５と同心状に第１伝達用スプロケット（第１伝達用回転体）１６が一体的に設けられている。本実施形態では、第１伝達用スプロケット１６のピッチ円は、従動スプロケット１５のピッチ円よりも小径であるが、これに限定されることはない。従動スプロケット１５から上流側（図１の左側）で、略水平方向に間隔を置いた位置に垂下用案内スプロケット１８（案内用回転体）が配置される。垂下用案内スプロケット１８は架台１２に回転自在に支持される。
【００２０】
垂下用案内スプロケット１８には、該垂下用案内スプロケット１８と同心状に第２伝達用スプロケット（第２伝達用回転体）１９が一体的に設けられている。本実施形態では、第２伝達用スプロケット１９のピッチ円は、垂下用案内スプロケット１８のピッチ円よりも小径であるが、これに限定されることはない。垂下用案内スプロケット１８と従動スプロケット１５とは略同じ高さに配置される。また、従動スプロケット１５より上流側で若干上方に中間案内スプロケット２１が配置される。該中間案内スプロケット２１は架台１２に回転自在に支持される。そして、駆動スプロケット５に巻回されたチェーン３の他方側は中間案内スプロケット２１に巻回されて、チェーン３の移動方向が略鉛直方向から略水平方向に変化される。続いて中間案内スプロケット２１に巻回されたチェーン３の他方側は垂下用案内スプロケット１８に巻回されて、チェーン３の移動方向が略水平方向から略鉛直方向に変化される。なお、本実施形態では、従動スプロケット１５と垂下用案内スプロケット１８とは同一のピッチ円の径を有しているが、これに限定されることはない。また本実施形態では、第１伝達用スプロケット１６と第２伝達用スプロケット１９とは同一のピッチ円の径を有しているが、これに限定されることはない。但し、駆動スプロケット５と垂下用案内スプロケット１８が巻回されたチェーン３を互いに同期して送るよう構成されている。
【００２１】
チェーン３の他端は、架台１２の上流側端部の下端に固定されており、扉体２を上昇させた際には、チェーン３の他端側は、垂下用案内スプロケット１８から下方に略Ｕ字状に垂れ下がった状態となる。そして、垂下用案内スプロケット１８の下方の領域が、扉体２を上昇させたときの、チェーン３の収納スペースとなる。
【００２２】
従動スプロケット１５の第１伝達用スプロケット１６と、垂下用案内スプロケット１８の第２伝達用スプロケット１９とには、無端状の伝達用チェーン（回転伝達部材）２２が巻回される。上述した、従動スプロケット１５と、該従動スプロケット１５の第１伝達用スプロケット１６と、垂下用案内スプロケット１８の第２伝達用スプロケット１９と、伝達用チェーン２２とが、駆動スプロケット５からの回転駆動を垂下用案内スプロケット１８に伝達する回転伝達手段に相当する。
【００２３】
そして、第１の実施形態に係る水門開閉装置１ａでは、扉体２を上昇させる際には、駆動装置４の駆動スプロケット５を開方向に回転駆動させる。すると、チェーン３の上昇に伴って、扉体２が各門柱１０、１０に沿って上昇する。このチェーン３の上昇に伴って従動スプロケット１５が開方向に回転する。当該従動スプロケット１５の回転は伝達用チェーン２２により垂下用案内スプロケット１８に伝達され、垂下用案内スプロケット１８は、従動スプロケット１５と同方向に回転する。そして、垂下用案内スプロケット１８の回転により、垂下用案内スプロケット１８に巻回しているチェーン３の他端側が下方に向かって付勢（チェーン３の他端側に下向きの力が付与）され、チェーン３の他端側は垂下用案内スプロケット１８を介してスムーズに降下するようになり、垂下用案内スプロケット１８の下方に略Ｕ字状に垂れ下がった状態で収納される。
【００２４】
以上説明した、第１の実施形態に係る水門開閉装置１ａでは、扉体２を駆動装置４により上昇させる際、チェーン３の上昇に伴って従動スプロケット１５が開方向に回転すると共に、垂下用案内スプロケット１８が従動スプロケット１５と同方向に回転する。そして、垂下用案内スプロケット１８が開方向に回転することにより、垂下用案内スプロケット１８に巻回しているチェーン３の他端側を下方に向かって付勢することができ、チェーン３の他端側を、垂下用案内スプロケット１８を介してスムーズに降下させることができる。この結果、従来のように、余分な長さのチェーン３は必要なく、上昇するチェーン３の移動距離の半分の長さのチェーン３を収納するだけの最小限の高さ方向の収納スペースを確保すればよく、チェーン３を収納するべく大きな収納スペース（特に、高さ方向）を確保する必要はない。これにより、チェーン３の収納スペースをコンパクトにすることができる。
【００２５】
次に、第２の実施形態に係る水門開閉装置１ｂを図３に基づいて説明する。該第２の実施形態に係る水門開閉装置１ｂの説明する際には、第１の実施形態に係る水門開閉装置１ａと同様のまたは相当する構成については同じ符号を付してその説明を省略し、第１の実施形態に係る水門開閉装置１ａとの相違点のみを説明する。
第２の実施形態に係る水門開閉装置１ｂでは、垂下用案内スプロケット１８の下方にチェーン収納体２５が配置される。該チェーン収納体２５は、一対の支持部材２６、２６と、該各支持部材２６、２６を支持する支持本体２７とを備えている。支持本体２７の上端が、例えば架台１２に連結される。図３に示した実施形態の場合、チェーン３は、上流側または下流側（図の左右方向）に折り返すことができるように配置されている。一対の支持部材２６、２６は、図３における左右方向、すなわちチェーン３の折り返す方向に延びており、チェーン３の幅よりもやや広い間隔で平行に配置したものであり、例えば、扉体２側に向かって水平方向に対して下方傾斜させている。チェーン３の他端は、このチェーン収納体２５の扉体２側の下端部に連結されている。また、チェーン３には、該チェーン３の両側からそれぞれチェーン３を折り返す方向と直交する方向に突設された掛止ピン２９、２９が、長さ方向に所定間隔を置いて複数形成されている。なお、図３では、掛止ピン２９、２９は１箇所だけ設けられており、チェーン３の長さに応じて掛止ピン２９、２９の数量が適宜決定される。
【００２６】
そして、第２の実施形態に係る水門開閉装置１ｂでは、扉体２を上昇させる際、駆動装置４の駆動スプロケット５を開方向に回転駆動させると、チェーン３の上昇に伴って扉体２が各門柱１０、１０に沿って上昇する。チェーン３の上昇に伴って従動スプロケット１５が開方向に回転すると共に垂下用案内スプロケット１８が同方向に回転する。そして、垂下用案内スプロケット１８の回転により、垂下用案内スプロケット１８に巻回しているチェーン３の他端側が下方に向かって付勢され、垂下用案内スプロケット１８を介してスムーズに降下するようになる。またその後、垂下用案内スプロケット１８を介して降下するチェーン３の他端側は、チェーン収納体２５の一対の支持部材２６、２６間に進入する。
【００２７】
この時、チェーン３には、該チェーン３の両側からそれぞれ突設された掛止ピン２９、２９が、長さ方向に所定間隔を置いて複数形成されている（図３では掛止ピン２９、２９が１箇所だけ突設されている）ので、掛止ピン２９、２９が一対の支持部材２６、２６上に到達すると、掛止ピン２９、２９が一対の支持部材２６、２６の上面に当接して掛止され、チェーン３が折り返されて、チェーン３の他端側が一対の支持部材２６、２６の下方に略Ｕ字状に垂れ下がり、略Ｕ字状に垂れ下がったチェーン３は一対の支持部材２６、２６の傾斜に沿って扉体２側に向かって移動する。その後、チェーン３の他端側は掛止ピン２９、２９を設けた箇所で順次折り返されて略Ｕ字状に垂れ下がり、順次一対の支持部材２６、２６の傾斜に沿って移動して収納される。このように、第２の実施形態に係る水門開閉装置１ｂでは、垂下用案内スプロケット１８を介して下方に延びるチェーン３の他端側が、スムーズにチェーン収納体２５に収納される。
【００２８】
以上説明した、第２の実施形態に係る水門開閉装置１ｂにおいても、第１の実施形態に係る水門開閉装置１ａと同様に、扉体２を上昇させる際には、垂下用案内スプロケット１８が開方向に回転することにより、垂下用案内スプロケット１８に巻回しているチェーン３の他端側を下方に向かって付勢することができ、チェーン３の他端側を、垂下用案内スプロケット１８を介してスムーズに降下させることができる。これにより、チェーン３の収納スペースをコンパクトにすることができる。また、第２の実施形態に係る水門開閉装置１ｂでは、チェーン３を、掛止ピン２６、２６の位置で折り返して、チェーン収納体２５に収納するので、高さ方向の収納スペースをさらに小さくすることができる。
【００２９】
次に、第３の実施形態に係る水門開閉装置１ｃを図４に基づいて説明する。該第３の実施形態に係る水門開閉装置１ｃの説明する際には、第１及び第２の実施形態に係る水門開閉装置１ａ、１ｂと同様のまたは相当する構成については同じ符号を付してその説明を省略し、第１及び第２の実施形態に係る水門開閉装置１ａ、１ｂとの相違点のみを説明する。
第３の実施形態に係る水門開閉装置１ｃでは、チェーン３の他端が架台１２に連結されず自由端となっており、チェーン３の他端側が垂下用案内スプロケット１８の下方に直線状に垂れ下がった状態となっている。垂下用案内スプロケット１８は架台１２よりも上方に位置して、従動スプロケット１５よりも高い位置に配置されている。
【００３０】
そして、第３の実施形態に係る水門開閉装置１ｃでは、扉体２を上昇させる際、駆動装置４の駆動スプロケット５を開方向に回転駆動させると、チェーン３の上昇に伴って扉体２が各門柱１０、１０に沿って上昇する。チェーン３の上昇に伴って従動スプロケット１５が開方向に回転すると共に垂下用案内スプロケット１８が同方向に回転する。そして、当該垂下用案内スプロケット１８の回転により、垂下用案内スプロケット１８に巻回しているチェーン３の他端側が下方に向かって付勢され、チェーン３の他端側が垂下用案内スプロケット１８を介してスムーズに降下して、垂下用案内スプロケット１８の下方に直線状に垂れ下がる。
【００３１】
以上説明した、第３の実施形態に係る水門開閉装置１ｃにおいても、第１及び第２の実施形態に係る水門開閉装置１ａ、１ｂと同様の作用効果を奏することができる。しかも、第３の実施形態に係る水門開閉装置１ｃでは、垂下用案内スプロケット１８を架台１２よりも上方に配置して、従動スプロケット１５よりも高い位置に配置しているので、架台１２の厚み相当分を、チェーン３の収納スペースの一部にあてることができ、架台１２から下方の収納スペースを最小限にすることができる。
【００３２】
次に、第４の実施形態に係る水門開閉装置１ｄを図５に基づいて説明する。該第４の実施形態に係る水門開閉装置１ｄの説明する際には、第１〜３の実施形態に係る水門開閉装置１ａ〜１ｃと同様のまたは相当する構成については同じ符号を付してその説明を省略し、第１〜３の実施形態に係る水門開閉装置１ａ〜１ｃとの相違点のみを説明する。
第４の実施形態に係る水門開閉装置１ｄは、従動スプロケット１５の上方に位置している駆動スプロケット５よりも高い位置に垂下用案内スプロケット１８が配設されている。また、第４の実施形態に係る水門開閉装置１ｄは、チェーン収納体２５の一対の支持部材２６、２６が、扉体２側から上流側に向かって水平方向に対して下方傾斜している。
【００３３】
図５に示すように、駆動装置４の駆動スプロケット５のほぼ直下であって、駆動スプロケット５と扉体２との間を略鉛直方向に延びるチェーン３の一端側を巻回し得る位置に従動スプロケット１５（従動回転体）が架台１２に回転自在に支持される。従動スプロケット１５には、該従動スプロケット１５と同心状に第１伝達用スプロケット１６（第１伝達用回転体）が一体的に設けられている。従動スプロケット１５から上流側（図５の左側）で、略水平方向に間隔を置いた位置に第１中間伝達スプロケット１６ａが架台１２に回転自在に支持される。該第１中間伝達スプロケット１６ａには、該第１中間伝達スプロケット１６ａと同心状に第２中間伝達用スプロケット１９ａが一体的に設けられている。
【００３４】
また、駆動装置４の駆動スプロケット５に巻回され略鉛直方向に延びるチェーン３の他方側の下方には、中間案内スプロケット２１ａが架台１２に回転自在に支持されており、該中間案内スプロケット２１ａから上流側（図５の左側）で、略水平方向に間隔を置いた位置に、中間案内スプロケット２１ｂが架台１２に回転自在に支持されている。
【００３５】
さらに、架台１２に立設された図５の右方の側の支持本体２７の上端には、支持部材３１が駆動スプロケット５よりもさらに高い位置となるように設けられている。該支持部材３１には、中間案内スプロケット２１ｂに巻回され、ほぼ垂直に延びるチェーン３を巻回する垂下用案内スプロケット１８が回転自在に支持されている。垂下用案内スプロケット１８には、第２中間伝達用スプロケット１９ａの上方の位置に、第２伝達用スプロケット（第２伝達用回転体）１９が垂下用案内スプロケット１８と同心状で一体的に設けられている。
【００３６】
そして、チェーン３の、駆動スプロケット５から他方側は、中間案内スプロケット２１ａ、２１ｂ、及び垂下用案内スプロケット１８（案内用回転体）に順次巻回されて、チェーン収納体２５に延びている。また、第１伝達用スプロケット１６と第１中間伝達スプロケット１６との間には、無端状の第１伝達用チェーン２２ｂが巻回され、第２中間伝達用スプロケット１９ａと第２伝達用スプロケット１９との間には、無端状の第２伝達用チェーン２２ｃが巻回されている。
【００３７】
第４の実施形態に係る水門開閉装置１ｄでは、扉体２を上昇させる際には、駆動装置４の駆動スプロケット５を開方向に回転駆動させる。すると、チェーン３の上昇に伴って、扉体２が各門柱１０、１０に沿って上昇する。このチェーン３の上昇に伴って従動スプロケット１５が開方向に回転する。当該従動スプロケット１５の回転は第１及び第２伝達用チェーン２２ｂ、２２ｃにより垂下用案内スプロケット１８に伝達され、垂下用案内スプロケット１８は、従動スプロケット１５と同方向に回転する。そして、垂下用案内スプロケット１８の回転により、垂下用案内スプロケット１８に巻回しているチェーン３の他端側が下方に向かって付勢され、チェーン３の他端側はチェーン収納体２５の一対の支持部材２６、２６間に進入する。
【００３８】
この時、チェーン３には、該チェーン３の両側からそれぞれ突設された掛止ピン２９、２９が、長さ方向に所定間隔を置いて複数形成されている（図５では掛止ピン２９、２９が複数個所に突設されている）ので、掛止ピン２９、２９が一対の支持部材２６、２６上に到達すると、掛止ピン２９、２９が一対の支持部材２６、２６の上面に当接して、チェーン３が折り返されて、チェーン３の他端側が一対の支持部材２６、２６の下方に略Ｕ字状に垂れ下がり、略Ｕ字状に垂れ下がったチェーン３は一対の支持部材２６、２６の傾斜に沿って扉体２側に向かって移動する。その後、チェーン３の他端側は掛止ピン２９、２９を設けた箇所で順次折り返されて略Ｕ字状に垂れ下がり、順次一対の支持部材２６、２６の傾斜に沿って移動して収納される。このように、第４の実施形態に係る水門開閉装置１ｄでは、垂下用案内スプロケット１８を介して下方に延びるチェーン３の他端側が、スムーズにチェーン収納体２５に収納される。
【００３９】
また、第４の実施形態に係る水門開閉装置１ｄでは、垂下用案内スプロケット１８を架台１２の上方に位置する駆動スプロケット５よりもさらに上方に配置しているので、架台１２の厚み以上の相当分を、チェーン３の収納スペースにあてることができ、架台１２から下方の収納スペースをさらに最小限にすることができ、よってチェーン３の収納スペースをコンパクトにすることができる。
【００４０】
次に、第５の実施形態に係る水門開閉装置１ｅを図６に基づいて説明する。該第５の実施形態に係る水門開閉装置１ｅの説明する際には、第１〜４の実施形態に係る水門開閉装置１ａ〜１ｄと同様のまたは相当する構成については同じ符号を付してその説明を省略し、第１〜４の実施形態に係る水門開閉装置１ａ〜１ｄとの相違点のみを説明する。
第５の実施形態に係る水門開閉装置１ｅは、従動スプロケット１５の上方に位置している駆動スプロケット５よりも高い位置に垂下用案内スプロケット１８が配設されている点で第４の実施形態と同様であるが、チェーン収納体２５の構成が、第４の実施形態と相違している。
【００４１】
図６に示すように、第５の実施形態におけるチェーン収納体２５は、水平方向に対して上流側（図の左側）が下方に傾斜するよう配設された支持部材２６と、支持部材２６の両端からそれぞれ上方に鉛直に延びるよう配設された支持本体２７とを備えている。また、チェーン３の他端側の先端３ａは、支持部材２６の上方に位置する端部（図６では右方の端部）に固定されている。
【００４２】
第５の実施形態に係る水門開閉装置１ｅでは、駆動装置４の駆動スプロケット５を開方向に回転駆動させて扉体２を上昇させると、その扉体２の上昇に伴ってチェーン３に巻回された従動スプロケット１５が回転し、当該従動スプロケット１５の回転が第１及び第２伝達用チェーン２２ｂ、２２ｃにより垂下用案内スプロケット１８に伝達され、垂下用案内スプロケット１８は、従動スプロケット１５と同方向に回転する。そして、垂下用案内スプロケット１８の回転により、垂下用案内スプロケット１８に巻回しているチェーン３の他端側が下方に向かって付勢され、チェーン３の他端側はチェーン収納体２５の支持部材２６上に載置され支持される。
【００４３】
この時、垂下用案内スプロケット１８によって下方に送られるチェーン３は、その他端部側の先端３ａが支持部材の上方に位置する側の端部に固定されているので、水平方向に対して傾斜している支持部材２６の低い側の端部（図６では左方側の端部）に向かって、かかる端部から上方に向かう支持本体２７に当接するまで移動する。そして、チェーン３は、この支持本体２７に当接され移動が規制されると、略Ｕ字状に折り返される。このようにして、チェーン３は、一対の支持本体２７の間で、順次略Ｕ字状に折り返された状態で、支持部材２６上に重ねられスムーズにチェーン収納体２５に収納される。
【００４４】
また、第５の実施形態に係る水門開閉装置１ｅでは、第４の実施形態と同様に、垂下用案内スプロケット１８を架台１２の上方に位置する駆動スプロケット５よりもさらに上方に配置している。この点は第４の実施形態と同様であるが、第５の実施形態では、チェーン３を垂れ下げることなく、支持部材２６上に折り返した状態で載置し支持させるので、チェーン３の収納スペースをよりコンパクトにすることができる。
【００４５】
なお、本発明の第１〜第５実施形態に係る水門開閉装置１ａ〜１ｅでは、駆動スプロケット５からの駆動力を、従動スプロケット１５を経由して垂下用案内スプロケット１８に伝達しているが、図２、図５、および図６中にのみ仮想線（二点鎖線）で示すように、いずれの実施形態でも、従動スプロケット１５を備えることなく、駆動スプロケット５に第１伝達用スプロケット１６を一体的に設けて、該第１伝達用スプロケット１６と垂下用案内スプロケット１８の第２伝達用スプロケット１９とに伝達用チェーン２２ａを巻回して、駆動スプロケット５からの回転駆動を、直接垂下用案内スプロケット１８に伝達するようにしてもよい。この場合、いずれの実施形態の水門開閉装置１ａ〜１ｅでも、駆動スプロケット５と垂下用案内スプロケット１８、および、第１伝達用スプロケット１６と第２伝達用スプロケット１９とのピッチ円の径の大きさをそれぞれ同じに設定することで（垂下用案内スプロケット１８については、図５に示された垂下用案内スプロケット１８ａの大きさを参照）、チェーン３が巻回された駆動スプロケット５と垂下用案内スプロケット１８ａとを互いに同期して回転させて、チェーン３を無理なく送ることができる。
【００４６】
また、本実施形態の水門開閉装置１ａ〜１ｅでは、図２、図５、および図６中にのみ仮想線（二点鎖線）で示すように、いずれの実施形態でも、駆動スプロケット５からの回転駆動を、直接垂下用案内スプロケット１８に伝達する構成に換えて、直接垂下用案内スプロケット１８を回転駆動する案内用回転体駆動装置３０を駆動装置４とは別に設けることができる。案内用回転体駆動装置３０は、モータや、巻きばねなどからなるスプリングなどにより構成することができる。案内用回転体駆動装置３０としてスプリングを採用する場合、該スプリング３０は、扉体２を上昇させた状態から下降させるときに、その弾性に抗して巻かれ、扉体２を下降させた状態から上昇させるときに、その弾性復帰により垂下用案内スプロケット１８に巻回され垂下させたチェーン３の他端側を下方に向かって付勢するよう垂下用案内スプロケット１８を回転駆動する。
【００４７】
なお、上述した本実施形態に係る水門開閉装置１ａ〜１ｅでは、動力伝達部材として、ローラチェーン３を採用したが、リンクチェーンを採用することもできる。この場合には、リンクチェーンを巻回させる各種回転体として、それぞれスプロケット５、１５、１８（１８ａ）、２１、２１ａ、２１ｂをロードシーブに換えて採用することとなる。また、チェーン３の他に動力伝達用ベルトやワイヤロープ等を採用することができ、動力伝達部材３が巻回される各種回転体５、１５、１８（１８ａ）、２１、２１ａ、２１ｂは、動力伝達部材３の種類に対応して適宜その仕様が決定される。また、回転伝達部材２２として、動力伝達部材と同様に、ローラチェーンからなる伝達用チェーン２２、２２ａ、２２ｂ、２２ｃを採用したが、リンクチェーンを採用することもできる。この場合には、リンクチェーンを巻回させる各種回転体として、それぞれスプロケット１６、１９、１６ａ、１９ａをロードシーブに換えて採用することとなる。また、伝達用チェーン２２、２２ａ、２２ｂ、２２ｃの他に動力伝達用ベルトやワイヤロープ等を採用することができ、回転伝達部材２２が巻回される第１及び第２伝達用回転体１８、１９、ならびに第１及び第２中間伝達スプロケット１６ａ、１９ａは、回転伝達部材２２、２２ａ、２２ｂ、２２ｃの種類に対応して適宜その仕様が決定される。
【００４８】
本発明では、扉体を上昇させるときに、案内用回転体を回転駆動して垂下させた動力伝達部材を収納スペースに送るよう付勢するため、従来の技術のように動力伝達部材の長さを通常よりも長く構成する必要がない。したがって、本発明によれば、動力伝達部材の他端側を収容するための収納スペースをコンパクトにすることができる。
【符号の説明】
【００４９】
１ａ〜１ｅ  水門開閉装置，２  扉体，３  チェーン（動力伝達部材），４  駆動装置，５  駆動スプロケット（回転駆動体），１５  従動スプロケット（従動回転体，回転伝達手段），１６  第１伝達用スプロケット（第１伝達用回転体，回転伝達手段），１８  垂下用案内スプロケット（案内用回転体），１９  第２伝達用スプロケット（第２伝達用回転体，回転伝達手段），２２および２２ａ〜２２ｃ  伝達用チェーン（回転伝達部材，回転伝達手段），２５  チェーン収納体（収納体），２６  支持部材，２９  掛止ピン，３０  モータまたはスプリング（案内用回転体駆動装置）
【図１】
2018013035.tif 000003
【図２】
2018013035.tif 000004
【図３】
2018013035.tif 000005
【図４】
2018013035.tif 000006
【図５】
2018013035.tif 000007
【図６】
2018013035.tif 000008
【図７】
2018013035.tif 000009